(57)【要約】      （修正有）【課題】情報記録媒体の記録再生装置が媒体の構造の認識処理を容易に実行する。【解決手段】情報記録媒体１０は、情報記録媒体の構造を示す媒体識別情報を含む第１領域１１と、ユーザデータが記録可能なまたは記録済みのデータ領域と、第１領域とデータ領域との間に位置する、情報記録媒体上の領域に対する装置のアクセス可否を示す複数の制御情報を含む第２領域１２と、を有する。第１領域の面積は、第２領域の面積より大きく、また、第２領域は予備領域１２３を含み、予備領域は複数の制御情報が記録されている領域の間に位置している。【選択図】図４
2020017334.tif 000002
【特許請求の範囲】
【請求項１】
少なくとも１つの記録層を有する情報記録媒体であって、
情報記録媒体の構造を示す媒体識別情報を含む第１領域と、ユーザデータが記録可能なまたは記録済みのデータ領域と、前記第１領域と前記データ領域との間に位置する、情報記録媒体上の領域に対する装置のアクセス可否を示す複数の制御情報を含む第２領域と、を有する情報記録媒体であって、
前記第２領域は予備領域を含み、前記予備領域は前記複数の制御情報が記録されている領域の間に位置し、
前記第１領域の面積は、前記第２領域の面積より大きいことを特徴とする情報記録媒体。
【請求項２】
請求項１に記載の情報記録媒体を再生する再生方法であって、
前記第１領域に記録されている媒体識別情報を認識する媒体認識ステップと、
前記第２領域に記録されている前記複数の制御情報のうちの１つの制御情報を読み取りにいくステップと、を含むことを特徴とする再生方法。
【請求項３】
前記１つの制御情報が読み取れない場合に、他の制御情報を読み取りにいくステップをさらに含むことを特徴とする請求項２に記載の再生方法。
【発明の詳細な説明】
【技術分野】
【０００１】
以下の開示は、任意のデータを記録可能な情報記録媒体およびその再生方法に関するものである。
【背景技術】
【０００２】
光ディスク等の情報記録媒体には、その情報記録媒体の構造を示す媒体識別情報等が記録される第１領域（PIC（=Permanent Information & Control data）領域）と、画像や動画等の任意のユーザデータを記録可能なデータ領域（ユーザ領域）と、第１領域とデータ領域の間に位置し、情報記録媒体上の領域に対する装置のアクセス制御（PAC（=Physical-Access Control））のための制御情報が記録される第２領域とがある。
【０００３】
近年、画像や動画等の膨大な情報処理のために、情報記録媒体の大容量化が求められている。情報記録媒体の規格サイズ（光ディスクの径）を変更せずに大容量化を図る場合、情報記録媒体、特にデータ領域の記録線密度を高くする必要がある。
【先行技術文献】
【特許文献】
【０００４】
【特許文献１】国際公開第２００７／１００１３９号（２００７年９月７日発行）
【発明の概要】
【発明が解決しようとする課題】
【０００５】
情報記録媒体の記録再生装置は、その情報記録媒体の構造を示す媒体識別情報等が記録される第１領域に最初にアクセスし、媒体識別情報を読み取ることにより、媒体の構造を認識するのが一般的である。
【０００６】
ここで、情報記録媒体の大容量化をした場合でも、第１領域に記録される情報は情報記録媒体の構造を示す媒体識別情報等であるため、そのデータ量は情報記録媒体を大容量化する前とほとんど変わらない。一方、画像や動画等の任意のユーザデータを記録可能なデータ領域のデータ量は、大容量化に伴い増加する。また、第１領域とデータ領域の間に位置し、情報記録媒体上の領域に対する装置のアクセス制御のための制御情報が記録される第２領域のデータ量も、大容量化に伴い増加する。
【０００７】
そのため、光ディスクの径を変更せずに、第１領域、第２領域、データ領域の各領域に記録されるデータ量の割合に応じて、各領域の面積を決定した場合、大容量情報記録媒体は、小容量情報記録媒体に比べて、第１領域の面積が減少する。例えば、情報記録媒体の記録再生装置は、ある位置へアクセスしようとする場合、所望の半径位置を指定したとしても厳密なアクセス精度がないため、アクセスできた位置のアドレス情報を確認し、読み出したアドレス情報に基づいて所望の位置へ移動し、アクセスすることになる。そのため、第１領域の面積が減少した結果、情報記録媒体の記録再生装置が第１領域にアクセスすることが難しくなり、媒体の構造の認識処理に時間がかかり、認識処理のリトライ回数増加や、媒体の認識自体が不可能になりかねない。
【０００８】
本発明の一態様は、上記の問題点に鑑みてなされたものであり、その目的は、情報記録媒体の記録再生装置が媒体の構造の認識処理を容易に実行可能な情報記録媒体およびその再生方法を実現することにある。
【課題を解決するための手段】
【０００９】
上記の課題を解決するために、本発明の一態様に係る情報記録媒体は、少なくとも１つの記録層を有する情報記録媒体であって、情報記録媒体の構造を示す媒体識別情報を含む第１領域と、ユーザデータが記録可能なまたは記録済みのデータ領域と、前記第１領域と前記データ領域との間に位置する、情報記録媒体上の領域に対する装置のアクセス可否を示す複数の制御情報を含む第２領域と、を有する情報記録媒体であって、前記第２領域は予備領域を含み、前記予備領域は前記複数の制御情報が記録されている領域の間に位置し、前記第１領域の面積は、前記第２領域の面積より大きい。
【発明の効果】
【００１０】
本発明の一態様によれば、情報記録媒体の記録再生装置が媒体の構造の認識処理を容易に実行可能になるという効果を奏する。
【図面の簡単な説明】
【００１１】
【図１】本発明の実施形態１を示すものであり、情報記録媒体の外観の一例を示す図である。
【図２】上記情報記録媒体の半径に対応した断面構造の一例を示す図である。
【図３】（ａ）は、上記情報記録媒体の第１領域におけるピットのピット長の一例を示す図であり、（ｂ）は、上記情報記録媒体の第２領域におけるピットのピット長の一例を示す図である。
【図４】本発明の実施形態２に係る情報記録媒体の半径に対応した断面構造の一例を示す図である。
【図５】本発明の実施形態３に係る情報記録媒体の外観の一例を示す図である。
【図６】上記情報記録媒体の半径に対応した断面構造の一例を示す図である。
【図７】上記情報記録媒体の第３領域におけるピットのピット長の一例を示す図である。
【図８】本発明の実施形態４に係る情報記録媒体の外観の一例を示す図である。
【図９】上記情報記録媒体の半径に対応した断面構造の一例を示す図である。
【図１０】上記情報記録媒体の媒体識別情報の一例を示す図である。
【図１１】本発明の一態様に係る情報記録媒体を再生する再生装置の要部構成の一例を示すブロック図である。
【図１２】上記再生装置による情報記録媒体の再生処理の一例を示す図である。
【発明を実施するための形態】
【００１２】
＜実施形態１＞
本発明の実施形態１について図１から図３に基づいて説明すると以下の通りである。
【００１３】
〔情報記録媒体の構成〕
まず、本実施形態に係る情報記録媒体の構成について図１および図２に基づいて説明する。図１は、情報記録媒体１０の外観の一例を示す図である。また、図２は、情報記録媒体１０の半径に対応した断面構造の一例を示す図である。図１に示すように、情報記録媒体１０は、中心に開口部を有する円盤形状の光ディスクであり、例えば、Blu-ray（登録商標） Disc（ＢＤ）等の光ディスクである。
【００１４】
情報記録媒体１０は、図１および図２に示すように、その情報記録媒体の構造を示す媒体識別情報等が記録される第１領域（PIC領域）１１と、画像や動画等の任意のユーザデータが記録可能なまたは記録済みのデータ領域（ユーザ領域）１３と、情報記録媒体上の領域に対する光ディスク装置のアクセス制御（PAC）のための制御情報等が記録される第２領域１２とを有する。
【００１５】
なお、情報記録媒体１０は、ユーザがデータ領域１３のユーザデータを読み書き可能な記録型情報記録媒体であってもよいし、データ領域１３のユーザデータを読み取りのみ可能な再生専用型情報記録媒体であってもよい。
【００１６】
ここで、光ディスク装置とは、情報記録媒体１０に記録されている情報の再生、および／または、データ領域１３への情報の記録を行う記録再生装置である。
【００１７】
また、ディスク半径方向に対して、第１領域１１は情報記録媒体１０の最内周側に位置し、データ領域１３は情報記録媒体１０の最外周側に位置する。第２領域１２は、第１領域１１とデータ領域１３との間に位置する。つまり、情報記録媒体１０には、その内周側から外周側に向かって、第１領域１１、第２領域１２、データ領域１３が順に配置されている。ただし、各領域の位置関係はこれに限るものではなく、第２領域１２が第１領域１１とデータ領域１３の間に配置されていればよい。
【００１８】
上述のように、情報記録媒体１０のサイズを変更せずに大容量化を図る場合、データ領域１３の記録線密度を上げることとなる。そこで、本発明の一態様に係る情報記録媒体１０では、データ領域１３の記録線密度を高くすることによって、記録可能なデータ量（記録容量）を増大させている。また、第２領域１２の記録線密度も高くしている。また、本実施形態に係る情報記録媒体１０は、第２領域１２とデータ領域１３の記録線密度は同じであるとする。ただし、これに限るものではなく、第２領域１２とデータ領域１３の記録線密度は異なっていてもよい。後述のように、第２領域１２とデータ領域１３の記録線密度は、第１領域１１の記録線密度より高ければよい。
【００１９】
ここで、本発明の一態様に係る情報記録媒体１０では、第１領域１１の面積は、第２領域１２の面積より大きい。情報記録媒体１０の光ディスク装置が、第１領域１１にアクセスしようとする場合、所望の半径位置を指定したとしても厳密なアクセス精度がないため、第１領域１１とデータ領域１３の間に配置されている第２領域１２に誤ってアクセスする可能性がある。そのため、媒体の構造の認識処理に必要な時間の増大、認識処理のリトライ回数増加、および、媒体の認識自体が不可能になるという問題が生じる。しかし、第２領域１２よりも第１領域１１の面積を大きく確保することより、情報記録媒体１０の記録再生装置が第１領域へのアクセス、および、媒体識別情報の認識を容易に実行することができる。各領域は開始半径位置から終了半径位置（＝隣接する領域の開始半径位置）が規格上で指定されることになり、各領域の面積は開始半径位置、終了半径位置から算出することができる。
【００２０】
なお、例えば、大容量情報記録媒体とは、１層あたりの記録容量が３３ＧＢのＢＤであり、小容量情報記録媒体とは、１層あたりの記録容量が２５ＧＢのＢＤである。
【００２１】
また、大容量情報記録媒体用の光ディスク装置とは、高い記録線密度で記録されている情報の再生および記録可能な光ディスク装置である。大容量情報記録媒体用の光ディスク装置は、さらに、低い記録線密度で記録されている情報の再生および記録も可能である。また、小容量情報記録媒体用の光ディスク装置とは、低い記録線密度で記録されている情報の再生および記録可能な光ディスク装置である。小容量情報記録媒体用の光ディスク装置は、高い記録線密度で記録されている情報の再生および記録を行うよう設計されていないため、高い記録線密度で記録されている情報の再生および記録を行うために必要な再生速度に変更できない等の理由により、高い記録線密度で記録されている情報の再生および記録をすることが困難である、もしくは不可能である。
【００２２】
さらに、本発明の一態様に係る情報記録媒体１０では、第１領域１１の記録線密度は、第２領域１２の記録線密度より低い。これにより、情報記録媒体１０より記録可能なデータ量が少ない小容量情報記録媒体用の光ディスク装置に情報記録媒体１０を挿入した場合であっても、第１領域１１の記録線密度が低い、つまり、小容量情報記録媒体の記録線密度と同じ、あるいは、近い記録線密度で記録されているため、媒体識別情報が読み取りやすくなる。そのため、光ディスク装置が認識処理のリトライを繰り返したり、光ディスク装置がフリーズしたりする不具合を抑制することができる。そして、媒体識別情報を読み取ることにより、情報記録媒体１０が大容量情報記録媒体であることを認識することができ、光ディスク装置が高い記録線密度で記録されている情報の再生および高い記録線密度での記録に対応できない場合に、情報記録媒体１０が非対応の光ディスクであることをユーザに時間をかけずに提示することができる。なお、ユーザへの提示に加えて、情報記録媒体１０を光ディスク装置から排出する処理を行ってもよい。また、情報記録媒体１０を排出する処理だけでもよい。
【００２３】
なお、媒体識別情報は、第２領域およびデータ領域１３の記録線密度を示す情報を含む。また、媒体識別情報は、各領域の基準アドレスを示す基準アドレス情報を含んでいてもよい。基準アドレスとは、領域の最初のアドレスもしくは最後のアドレスの何れか、またはそれら両方を含むものである。
【００２４】
媒体識別情報に、第２領域１２およびデータ領域１３の記録線密度を示す情報を含んでいれば、大容量情報記録媒体用の光ディスク装置は、媒体識別情報の読み取り後、第２領域１２およびデータ領域１３にアクセスするための記録線密度の設定を素早く行うことができる。
【００２５】
一方、小容量情報記録媒体用の光ディスク装置は、第２領域１２およびデータ領域１３の記録線密度を示す情報が、小容量情報記録媒体の記録線密度と同じ、あるいは、近い記録線密度で記録されているため、媒体識別情報を読み取りやすくなる。読み取った結果、情報記録媒体１０が、小容量情報記録媒体用の光ディスク装置では情報の再生および記録に対応できないことを素早く認識することができる。
【００２６】
なお、第１領域１１に同一の媒体識別情報が複数記録されていてもよい。これにより、媒体識別情報の読み取りに対して、一つの媒体識別情報が傷や汚れ等の影響を受けても、他の媒体識別情報を読み取れることにより、傷や汚れ等の影響を回避しやすくすることができる。
【００２７】
また、媒体識別情報に、各領域の基準アドレスを示す基準アドレス情報を含んでいれば、大容量情報記録媒体用の光ディスク装置は、媒体識別情報の読み取り後、第２領域１２およびデータ領域１３にアクセスするためのアドレスの指定を素早く行うことができ、各領域へのアクセスが容易になる。
【００２８】
また、情報記録媒体１０は、第１領域１１を複数有していてもよく、例えば、情報記録媒体１０の最内周側および最外周側に第１領域１１が配置されていてもよい。この場合は、最内周側から最外周側に向かって、第１領域、第２領域、データ領域、第２領域、第１領域と配置されることになる。
【００２９】
また、情報記録媒体１０は、第１領域１１のトラック数が、第２領域１２のトラック数より多くてもよい。
【００３０】
各領域の開始半径位置および終了半径位置（＝隣接する領域の開始半径位置）が規格上で指定されることになる。トラック数とは、各領域の開始半径位置から終了半径位置の間の半径方向の直線を横切るトラックの本数のことであり、各領域の開始半径位置から終了半径位置までの半径方向の距離をトラックピッチ（隣接するトラック同士の半径方向の間隔）で割ることにより算出することができる。
【００３１】
第２領域１２のトラックの本数よりも第１領域１１のトラックの本数を多く確保する場合も、第２領域１２よりも第１領域１１の面積を大きく確保するのと同様、情報記録媒体１０の記録再生装置が第１領域へのアクセス、および、媒体識別情報の認識を容易に実行することができる。
【００３２】
また、情報記録媒体１０において、第１領域１１の面積を第２領域の面積よりも大きくすると共に、第１領域１１のトラック数を、第２領域１２のトラック数より多くしてもよい。
【００３３】
次に、図３に基づいて、情報記録媒体１０のより詳細な構成について説明する。ここでは、情報記録媒体１０が再生専用ディスクである場合を例に説明する。図３（ａ）は、第１領域におけるピットのピット長の一例を示す図であり、図３（ｂ）は、第２領域におけるピットのピット長の一例を示す図である。
【００３４】
再生のための同期を取るチャネルクロック１周期に対応する単位ビット長をＴであらわすとすると、図３に示すように、２Ｔ、３Ｔ、４Ｔ、６Ｔといったように、Ｔの整数倍のビット長を持つピット、および、ピットとピットの間のスペースが各領域に存在する。ここで、「第１領域１１より第２領域１２の方が記録線密度が高い」とは、第１領域１１および第２領域１２のチャネルクロック周期は同じで、第１領域１１を再生するための基準の再生速度より第２領域１２を再生するための基準の再生速度のほうが遅く、単位ビット長が第１領域１１より第２領域１２の方が短いということを意味する。つまり、第１領域１１と第２領域１２を再生するための再生速度は、領域に応じて装置が変更させることになる。
【００３５】
＜実施形態２＞
本発明の実施形態２について図４に基づいて説明すると以下の通りである。なお、説明の便宜上、前記の実施の形態１において示した部材と同一の機能を有する部材には、同一の符号を付し、その説明を省略する。
【００３６】
実施形態２に係る情報記録媒体１０は、第２領域１２に同じ制御情報が複数記録されている。制御情報は２箇所以上に書かれていれば良く、例えば、図４に示すように、第２領域１２の先頭および末尾に、それぞれ制御情報１２１、１２２が記録されていてもよい。制御情報１２１および１２２は、同じ内容の情報である。
【００３７】
上述のように、第２領域には、情報記録媒体１０上の領域に対する光ディスク装置のアクセス制御（PAC）のための制御情報が含まれている。そのため、光ディスク装置は、第２領域の制御情報を認識することにより、各領域へのアクセス可否を認識できる。
【００３８】
ここで、情報記録媒体に傷や汚れが付くことにより、制御情報の記録されている箇所が読み取れなくなる可能性がある。制御情報が読み取れない場合、光ディスク装置は、データ領域１３にアクセスすることができず、情報記録媒体へのデータの読み書きが実行できなくなる。
【００３９】
そこで、本実施形態２に係る情報記録媒体１０のように、制御情報を第２領域内に複数回記録しておくことにより、情報記録媒体の耐久性を向上させることができる。
【００４０】
また、図４に示すように、第２領域１２は、将来の情報記録媒体１０の規格拡張において使用するための予備領域１２３を有することが望ましい。すなわち、第２領域１２は、制御情報以外の情報を記録可能な空領域を有することが望ましい。
【００４１】
上記のとおり、傷や汚れ等の影響を受けにくくするため、複数の制御情報は離れて存在することが望ましい。そのため、予備領域１２３は、制御情報が記録されている箇所の間に位置することが望ましい。
【００４２】
複数の制御情報が記録できるように、また、予備領域１２３を有することができるように、第２領域の記録容量は、第１領域の記録容量（第１領域に記録されている媒体識別情報のデータ量）より多くすることが好ましい。
【００４３】
＜実施形態３＞
本発明の実施形態３について図５〜図７に基づいて説明すると以下の通りである。なお、説明の便宜上、前記の実施の形態１において示した部材と同一の機能を有する部材には、同一の符号を付し、その説明を省略する。
【００４４】
図５および図６に示すように、実施形態３に係る情報記録媒体２０は、実施形態１と異なり、第１領域２１、第２領域２２およびデータ領域２４に加え、さらに線密度を変更するための第３領域２３を有する。情報記録媒体２０には、その内周側から外周側に向かって、第１領域２１、第３領域２３、第２領域２２、データ領域２４が順に配置されている。ただし、各領域の位置関係はこれに限るものではなく、任意である。
【００４５】
第３領域２３は、第１領域２１と第２領域２２の間に位置し、低い記録線密度から、高い記録線密度へピット長を変更するための領域である。図７に、第３領域２３におけるピットのピット長の一例を示す。第３領域２３では、図示のように、トラック方向を進むにしたがって、チャネルビット長が短くなる。
【００４６】
第１領域２１と第２領域２２の間に位置し、低い記録線密度から、高い記録線密度へピット長を変更するための第３領域２３を含むことにより、光ディスク装置は、記録線密度に対応した再生速度の切り替えを容易に行うことができる。
【００４７】
なお、第３領域２３の面積は、第１領域２１の面積よりも小さいことが望ましい。これにより、第１領域２１へのアクセス、および、媒体識別情報の認識が容易になる。
【００４８】
また、第２領域２２は、第３領域２３とデータ領域２４との間に位置することが望ましい。これにより、第３領域２３で高い記録線密度に対応した再生速度に変更した後に、その記録線密度のままで、第２領域２２、データ領域２４の順に再生することができ、光ディスク装置の線密度変更による処理負担がなくなる。
【００４９】
なお、実施形態３に係る情報記録媒体２０も、実施形態２で示したように、第２領域２２に複数の制御情報が記録されていてもよい。
【００５０】
＜実施形態４＞
本発明の実施形態４について図８〜図１０に基づいて説明すると以下の通りである。なお、説明の便宜上、前記の実施の形態１において示した部材と同一の機能を有する部材には、同一の符号を付し、その説明を省略する。
【００５１】
実施形態４に係る情報記録媒体３０は、実施形態１と異なり、記録層を複数有する。その他の構成は実施形態１と同様であり、図８に示すように、情報記録媒体３０は、第１領域３１、第２領域３２およびデータ領域３３を有する。
【００５２】
例えば、図９に示すように、情報記録媒体３０は、記録層を２層（Ｌ０層およびＬ１層）有していてもよい。このとき、図１０に示すように、第１領域３１に記録されている媒体識別情報は、情報記録媒体３０の記録層の数を示す層情報、および、各領域の基準アドレスを示す基準アドレス情報を含む。基準アドレスは、各記録層および、記録層内の各領域の最初のアドレスもしくは最後のアドレスの何れか、またはそれら両方を含むものである。
【００５３】
なお、媒体識別情報は、各記録層に記録されていてもよいし、何れかの記録層に記録されていてもよい。各記録層に記録されていれば、どの記録層に光ディスク装置がアクセスしても、媒体識別情報を認識することができる。
【００５４】
情報記録媒体３０が複数記録層を有しており、媒体識別情報に層情報が記録されていれば、光ディスク装置は、媒体識別情報を認識することによって、所望の情報が記録されている記録層に容易に層間移動することができる。
【００５５】
さらに、媒体識別情報に、第２領域３２および／またはデータ領域３３の基準アドレスを示す基準アドレス情報が記録されている場合、光ディスク装置は、その情報を認識することにより、第２領域３２およびデータ領域３３において、所望の情報が記録されているアドレスに容易に移動することができる。
【００５６】
なお、実施形態４に係る情報記録媒体３０も、実施形態２で示したように、第２領域２２に複数の制御情報が記録されていてもよい。さらに、実施形態４に係る情報記録媒体３０も、実施形態３で示したように、第３領域を有していてもよい。
【００５７】
＜実施形態５＞
実施形態５では、本発明の一態様に係る情報記録媒体の記録・再生を行う光ディスク装置について図１１および図１２に基づいて説明する。
【００５８】
（光ディスク装置の構成）
まず、図１１に基づき、実施形態５に係る光ディスク装置４０の構成について説明する。光ディスク装置４０は、情報記録媒体１０、２０、３０等の大容量情報記録媒体の再生を行う装置である。すなわち、光ディスク装置４０は、大容量情報記録媒体用の光ディスク装置である。
【００５９】
図１１は、光ディスク装置４０の概略構成を示す機能ブロック図である。図１１に示すように、光ディスク装置４０は、主として、ディスク装填認識部４１、再生回路群４２、光ピックアップ４３、スピンドルモータ４４および制御部４５を含んでいる。
【００６０】
光ピックアップ４３は、さらに光ヘッド５１およびアクチュエータ５２を含んでいる。
【００６１】
また、再生回路群４２は、さらに、ピックアップ駆動回路６１、レーザ駆動回路６２、再生回路６３、アクチュエータ駆動回路６４、およびスピンドルモータ駆動回路６５を含んでいる。
【００６２】
ディスク装填認識部４１は、情報記録媒体１０等の装填および排出を検出するためのものであり、例えば、各種センサが例示できるが、情報記録媒体１０等の装填および排出を検出できるものであれば、どのようなセンサを用いても良い。
【００６３】
ピックアップ駆動回路６１は、光ピックアップ４３を駆動させるものである。レーザ駆動回路６２は、光ヘッド５１を制御するものである。再生回路６３は、光ヘッド５１から取得した再生光を再生信号に変換するものである。アクチュエータ駆動回路６４は、アクチュエータを駆動するものである。スピンドルモータ駆動回路６５は、スピンドルモータを駆動させるものである。
【００６４】
光ヘッド５１は、情報記録媒体１０にレーザ光を照射し、情報記録媒体１０から反射して得られた再生光を再生回路６３に出力する。アクチュエータ５２は、光ヘッド５１を移動させるものである。
【００６５】
スピンドルモータ４４は、情報記録媒体１０を回転させるものである。
【００６６】
制御部４５は、光ディスク装置４０が備える各部、特に、再生回路群４２の各部を統括的に制御するものである。
【００６７】
（光ディスク装置の再生処理）
次に、光ディスク装置４０が実行する再生処理について図１２に基づいて説明する。図１２は、光ディスク装置４０が実行する再生処理の一例を示すフローチャートである。ここでは、光ディスク装置４０が情報記録媒体１０を再生する処理について説明する。
【００６８】
図１２に示すように、まず、スピンドルモータ４４を第１領域１１の記録線密度に応じた再生速度に設定する。そして、光ピックアップおよびアクチュエータを駆動させて、光ヘッド５１を第１領域１１にアクセスさせる（Ｓ１）。光ヘッド５１が第１領域１１からの再生光を取得し、制御部４５は、再生回路６３からの再生信号に基づいて、第１領域の媒体識別情報を認識する（Ｓ２：媒体認識ステップ）。これにより、制御部４５は、第２領域１２およびデータ領域１３の記録線密度が高いことを認識する。
【００６９】
次に、第２領域１２の記録線密度に応じた再生速度に設定し、光ヘッド５１が第２領域１２にアクセスする（Ｓ３）。制御部４５は、第２領域１２の制御情報を認識する（Ｓ４：再生ステップ）。そして、制御部４５は、制御情報に基づいて、データ領域１３のアクセス可否を判定する（Ｓ５）。
【００７０】
データ領域１３へアクセス可能な場合、光ヘッド５１がデータ領域１３にアクセスし（Ｓ６）、データ領域の情報（ユーザデータ）を再生する（Ｓ７：再生ステップ）。一方、データ領域１３へアクセスできない場合、再生処理を終了する。再生処理の終了は、表示部にエラーメッセージの表示を行う等により、ユーザへ知らせる。
【００７１】
情報記録媒体１０において、第１領域１１とデータ領域１３の間に配置される第２領域１２に対して、第１領域１１の面積が大きいため、光ディスク装置４０による第１領域１１へのアクセスが容易となり、第１領域１１に記録されている媒体識別情報の認識が容易となる。
【００７２】
また、第２領域１２は、第１領域１１とデータ領域１３の間に配置されているため、光ディスク装置は、第１領域１１の媒体識別情報の認識、その認識による第２領域１２の記録線密度に応じた再生速度の設定、第２領域１２の制御情報の認識、その認識によるデータ領域１３へのアクセス可否の判断、データ領域１３へのアクセス、を光ディスクの半径方向に沿って順番に実施することができる。
【００７３】
なお、第２領域１２の制御情報は、データ領域１３全体のアクセス可否を判定するための情報であってもよく、データ領域１３のうち特定の領域へのアクセス可否を判定するための情報であってもよい。また、第２領域１２の制御情報は、データ領域１３以外のある特定の領域へのアクセス可否を判定するための情報を含んでいてもよい。
【００７４】
光ディスク装置４０は、第１領域１１の媒体対識別情報を認識すれば、第２領域１２およびデータ領域１３の記録線密度が高いことが認識できるため、その記録線密度に応じた再生速度の設定が可能になり、それらの領域の情報を的確に再生することができる。
【００７５】
また、情報記録媒体１０が複数層からなり、媒体識別情報に層情報が記録されている場合、Ｓ６において、光ヘッド５１は、層情報に基づいて、第２領域の情報、および／または、データ領域の情報の記録されている層に層間移動する。
【００７６】
さらに、媒体識別情報に、第２領域および／またはデータ領域の基準アドレスを示す基準アドレス情報が記録されている場合、Ｓ６において、光ヘッド５１は、基準アドレス情報に基づいて、第２領域の情報、および／または、データ領域の情報の記録されているアドレスに移動する。
【００７７】
なお、小容量情報記録媒体用の再生装置が情報記録媒体１０を再生する場合についても説明する。この場合、第１領域１１に低い記録線密度で媒体識別情報が記録されているため、小容量情報記録媒体用の再生装置でも、媒体識別情報を認識することができる。そして、小容量情報記録媒体用の再生装置は、媒体識別情報に基づいて、第２領域１２およびデータ領域の記録線密度を認識する。ここで、小容量情報記録媒体用の再生装置は、第２領域１２およびデータ領域の記録線密度に対応していないため、情報記録媒体１０を再生不可能であると判定し、再生処理を終了する。
【００７８】
〔まとめ〕
本発明の態様１に係る情報記録媒体は、情報記録媒体の構造を示す媒体識別情報を含む第１領域と、任意のユーザデータが記録可能なまたは記録済みのデータ領域と、前記第１領域と前記データ領域との間に位置する、情報記録媒体上の領域に対する装置のアクセス可否を示す制御情報を含む第２領域と、を有する情報記録媒体であって、前記第１領域の面積は、前記第２領域の面積より大きい。
【００７９】
上記の構成によれば、情報記録媒体を大容量化した場合であっても、第１領域の面積を十分に確保でき、光ディスク装置が第１領域にアクセスしようとして、第１領域とデータ領域の間に配置されている第２領域に誤ってアクセスする可能性が低くなり、その結果、媒体の構造の認識処理に時間がかかること、認識処理のリトライ回数増加や、媒体の認識自体が不可能になることを低減させることができる。すなわち、情報記録媒体の記録再生装置が第１領域へのアクセス、および、媒体識別情報の認識を容易に実行することができる。
【００８０】
本発明の態様２に係る情報記録媒体は、上記態様１において、前記第２領域の記録容量は、前記第１領域の記録容量より多くしてもよい。
【００８１】
上記の構成によれば、第２領域の記録容量を多くすることにより、第２領域に将来の拡張のための予備領域を設けることができる。
【００８２】
本発明の態様３に係る情報記録媒体は、上記態様１または２において、前記第１領域の記録線密度は、前記第２領域の記録線密度より低くてもよい。
【００８３】
上記の構成によれば、第２領域の記録線密度に対応していない記録再生装置であっても、第１領域へのアクセスが可能になり、媒体識別情報を容易に認識することができる。そのため、記録再生装置が媒体識別情報の認識処理のリトライを繰り返したり、記録再生装置がフリーズしたりする不具合を抑制することができる。
【００８４】
また、第２領域の記録線密度を第１領域の記録線密度より高くすることで、第２領域の記録容量を多くすることができる。
【００８５】
本発明の態様４に係る情報記録媒体は、情報記録媒体の構造を示す媒体識別情報を含む第１領域と、ユーザデータが記録可能なまたは記録済みのデータ領域と、前記第１領域と前記データ領域との間に位置する、情報記録媒体上の領域に対する装置のアクセス可否を示す制御情報を含む第２領域と、を有する情報記録媒体であって、前記第１領域のトラック数は、前記第２領域のトラック数より多い。
【００８６】
上記の構成によれば、情報記録媒体を大容量化した場合であっても、第１領域のトラック数を十分に確保でき、光ディスク装置が第１領域にアクセスしようとして、第１領域とデータ領域の間に配置されている第２領域に誤ってアクセスする可能性が低くなり、その結果、媒体の構造の認識処理に時間がかかること、認識処理のリトライ回数増加や、媒体の認識自体が不可能になることを低減させることができる。すなわち、情報記録媒体の記録再生装置が第１領域へのアクセス、および、媒体識別情報の認識を容易に実行することができる。
【００８７】
本発明の態様５に係る情報記録媒体の再生方法は、上記態様１〜４の何れかに係る情報記録媒体を再生する再生方法であって、前記第１領域に記録されている媒体識別情報を認識する媒体認識ステップと、前記第２領域に記録されている情報、および／または、前記データ領域に記録されている情報を再生する再生ステップと、を含んでいてもよい。
【００８８】
上記の構成によれば、第１領域の媒体識別情報を認識し、その情報に基づいて、第２領域、および／または、データ領域の所望に位置にアクセスでき、記録されている所望の情報に容易にアクセスすることができる。
【００８９】
本発明の態様６に係る情報記録媒体は、上記態様３において、前記第１領域と前記第２領域の間に、記録線密度が前記第１領域の記録線密度から前記第２領域の記録線密度へと変化する第３領域をさらに有してもよい。
【００９０】
第１領域と第２領域とで記録線密度が異なるため、情報記録媒体の記録再生装置は、記録線密度に対応した記録再生速度の切り替えを行う必要がある。
【００９１】
上記の構成によれば、記録線密度が前記第１領域の記録線密度から前記第２領域の記録線密度へと変化する第３領域を含むことにより、記録再生装置は、記録線密度に対応した再生速度の切り替えを容易に行うことができる。
【００９２】
本発明の態様７に係る情報記録媒体は、上記態様１〜４の何れかにおいて、前記媒体識別情報は、情報記録媒体の層の数を示す層情報を含んでいてもよい。
【００９３】
上記の構成によれば、情報記録媒体の記録再生装置は、所望の情報が記録されている層に容易にアクセスすることができる。
【００９４】
本発明の態様８に係る情報記録媒体は、上記態様２において、前記第２領域は、将来の拡張のための予備領域を含んでいてもよい。すなわち、本発明の態様８に係る情報記録媒体は、上記態様２において、前記第２領域は、前記制御情報以外の情報を記録可能な空領域を含んでいてもよい。
【００９５】
上記の構成によれば、第２領域１２は、将来の情報記録媒体の規格拡張において使用するための予備領域を確保できる。また、予備領域を、制御情報が記録されている箇所の間に位置させることにより、複数の制御情報を離れて存在させることができ、一つの制御情報が傷や汚れ等の影響を受けても、他の制御情報への影響を回避しやすくなるという効果を奏する。
【００９６】
本発明の態様９に係る情報記録媒体は、上記態様６において、前記第３領域の面積は、前記第１領域よりも小さくてもよい。
【００９７】
上記の構成によれば、第３領域に対して、第１領域の面積を十分に確保でき、情報記録媒体の記録再生装置が第１領域へのアクセス、および、媒体識別情報の認識を容易に実行することができる。
【００９８】
本発明の態様１０に係る情報記録媒体は、上記態様６において、前記第２領域は、前記第３領域と前記データ領域に隣接していてもよい。
【００９９】
上記の構成によれば、第３領域で高い記録線密度に対応した再生速度に変更した後に、その記録線密度のままで、第２領域、データ領域の順に再生することができ、光ディスク装置の線密度変更による処理負担がなくなる。
【０１００】
本発明の態様１１に係る情報記録媒体は、上記態様１〜５の何れかにおいて、前記媒体識別情報は、前記第２領域、および／または、前記データ領域の基準アドレスを示す基準アドレス情報を含んでいてもよい。
【０１０１】
上記の構成によれば、光ディスク装置は、媒体識別情報の読み取り後、第２領域、および／または、データ領域にアクセスするためのアドレスの指定を素早く行うことができ、各領域へのアクセスが容易になる。
【０１０２】
本発明の態様１２に係る情報記録媒体の再生方法は、上記態様５において、前記情報記録媒体から当該情報記録媒体の層の数を示す層情報を認識する層認識ステップと、前記層情報に基づいて、前記第２領域の情報、および／または、前記データ領域の情報の記録されている層に層間移動する層間移動ステップと、前記第２領域の情報、および／または、前記データ領域の情報を再生する再生ステップと、を有していてもよい。
【０１０３】
上記の構成によれば、情報記録媒体の層の数を示す層情報を認識し、その情報に基づいて、所望の層の、第２領域、および／または、データ領域に素早くアクセスでき、記録されている所望の情報に容易にアクセスすることができる。なお、層情報は、第１領域の媒体識別情報に含まれていても良い。また、媒体識別情報は、各層の各領域の基準アドレスを示す基準アドレス情報を含んでいても良い。
【０１０４】
本発明の態様１３に係る情報記録媒体の再生方法は、上記態様５において、前記第２領域、および／または、前記データ領域の基準アドレスを示す基準アドレス情報を情報記録媒体から認識するアドレス認識ステップと、前記基準アドレス情報に基づいて、前記第２領域の情報、および／または、前記データ領域の情報の記録されているアドレスに移動するアドレス移動ステップと、前記第２領域の情報、および／または、前記データ領域の情報を再生する再生ステップと、を有していてもよい。
【０１０５】
上記の構成によれば、媒体識別情報に、各領域の基準アドレスを示す基準アドレス情報を含んでいれば、光ディスク装置は、媒体識別情報を読み取った上で、第２領域およびデータ領域にアクセスするためのアドレスの指定を素早く行うことができ、各領域へのアクセスが容易になる。
【０１０６】
また、本発明の態様１４に係る情報記録媒体は、情報記録媒体の構造を示す媒体識別情報を含む第１領域と、ユーザデータが記録可能なまたは記録済みのデータ領域と、前記第１領域と前記データ領域との間に位置する、情報記録媒体上の領域に対する装置のアクセス可否を示す制御情報を含む第２領域と、を有する情報記録媒体であって、前記媒体識別情報は、少なくとも前記データ領域の基準アドレス情報として、最初のアドレスもしくは最後のアドレスの何れか、またはそれら両方を含み、前記第１領域のトラック数は、前記第２領域のトラック数より多い。
【０１０７】
また、本発明の態様１５に係る再生方法は、態様１３に記載の情報記録媒体を再生する再生方法であって、前記第１領域に記録されている媒体識別情報に含まれる前記データ領域の基準アドレス情報を認識する認識ステップと、前記基準アドレス情報に基づいて、前記データ領域の情報の記録されているアドレスに移動し、前記データ領域に記録されている情報を再生する再生ステップと、を含む。
【０１０８】
また、本発明の態様１６に係る情報記録媒体は、情報記録媒体の構造を示す媒体識別情報を含む第１領域と、ユーザデータが記録可能なまたは記録済みのデータ領域と、前記第１領域と前記データ領域との間に位置する、情報記録媒体上の領域に対する装置のアクセス可否を示す制御情報を含む第２領域と、を有する情報記録媒体であって、前記第１領域と前記第２領域との間に位置し、低い記録線密度から、高い記録線密度へピット長を変更するための第３領域をさらに有し、前記第１領域の面積は、前記第２領域の面積より大きく、前記第３領域の面積は、前記第１領域の面積より小さい。
【０１０９】
また、本発明の態様１７に係る再生方法は、態様１６に記載の情報記録媒体を再生する再生方法であって、前記第１領域に記録されている媒体識別情報を認識する媒体認識ステップと、前記第２領域に記録されている情報を再生する再生ステップと、前記第３領域で、前記低い記録線密度に対応した第１再生速度と前記高い記録線密度に対応した第２再生速度とを切り替えるステップと、を含む。
【０１１０】
また、本発明の態様１８に係る情報記録媒体は、複数の記録層を有する情報記録媒体であって、情報記録媒体の構造を示す媒体識別情報を含む第１領域と、ユーザデータが記録可能なまたは記録済みのデータ領域と、前記第１領域と前記データ領域との間に位置する、情報記録媒体上の領域に対する装置のアクセス可否を示す制御情報を含む第２領域と、を有する情報記録媒体であって、前記第１領域の面積は、前記第２領域の面積より大きく、前記媒体識別情報は、前記記録層の数を示す層情報を含み、前記媒体識別情報は、前記記録層のそれぞれに記録されている。
【０１１１】
また、本発明の態様１９に係る再生方法は、態様１８に記載の情報記録媒体を再生する再生方法であって、前記第１領域に記録されている媒体識別情報を認識する媒体認識ステップと、所望の情報が記録されている記録層に層間移動する層間移動ステップと、を含む。
【０１１２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１３】
本発明の一態様は、光ディスク等の情報記録媒体、それらを再生する光ディスク装置と再生方法に利用することができる。
【符号の説明】
【０１１４】
１０、２０、３０    情報記録媒体
１１、２１、３１    第１領域
１２、２２、３２    第２領域
１３、２４、３３    データ領域
２３                第３領域
４０                光ディスク装置（再生装置）
１２３              予備領域
【図１】
2020017334.tif 000003
【図２】
2020017334.tif 000004
【図３】
2020017334.tif 000005
【図４】
2020017334.tif 000006
【図５】
2020017334.tif 000007
【図６】
2020017334.tif 000008
【図７】
2020017334.tif 000009
【図８】
2020017334.tif 000010
【図９】
2020017334.tif 000011
【図１０】
2020017334.tif 000012
【図１１】
2020017334.tif 000013
【図１２】
2020017334.tif 000014